(57)【特許請求の範囲】
【請求項１】
側壁(1)と底壁(2)とが連設され、その境界部分を折り曲げて組み立てる段ボール箱において、側壁(1)と底壁(2)の境界部分には、折り曲げの軸線となる１本の軸折罫線(7)と、これに対して側壁(1)及び底壁(2)の方向へずれた２本の補助折罫線(8)とを交互に入れると共に、軸折罫線(7)と平行な座屈誘導罫線(9)を、軸折罫線(7)に対応して断続的に、側壁(1)の補助折罫線(8)よりも上方に入れたことを特徴とする胴膨れ抑制罫線構造を備えた段ボール箱。
【請求項２】
前記座屈誘導罫線(9)は、軸折罫線(7)及び補助折罫線(8)よりも折曲抵抗が弱いものとしたことを特徴とする請求項１に記載の胴膨れ抑制罫線構造を備えた段ボール箱。
【請求項３】
前記軸折罫線(7)に臨む底壁(2)側の部分に、段ボールを厚さ方向に押し潰して折曲抵抗を弱めた段潰部(10)を形成したことを特徴とする請求項１又は２に記載の胴膨れ抑制罫線構造を備えた段ボール箱。
【発明の詳細な説明】
【技術分野】
【０００１】
この発明は、積上荷重による胴膨れ現象を抑制できる罫線構造を備えた段ボール箱に関するものである。
【背景技術】
【０００２】
段ボール箱は、大きな積上荷重が作用すると、側面が高さ方向に湾曲するように膨らんで樽状の外観を呈する胴膨れが生じる場合があり、下記特許文献１〜３においては、このような胴膨れを抑制する罫線構造を備えた段ボール箱が提案されている。
【０００３】
特許文献１には、図８に上下反転した状態で示す段ボール箱が記載されている。この段ボール箱では、側壁５１と底壁５２の境界部分に、折り曲げの軸線となる１本の軸折罫線５３と、これに対して側壁５１及び底壁５２の方向へ平行にずれた２本の補助折罫線５４とが、段ボールの厚さ方向に貫通する全切の切目５５を挟んで交互に入れられている。そして、側壁５１と底壁５２の境界部分の折り曲げに伴い、２本の補助折罫線５４の間の部分が傾斜し、１本の軸折罫線５３の周辺部分が引き締められるようになっている。
【０００４】
特許文献２には、図９に上下反転した状態で示す段ボール箱が記載されている。この段ボール箱では、側壁６１と底壁６２の境界部分に、段ボールの裏面から、折り曲げの軸線となる１本の軸折罫線６３と、これに対して側壁６１及び底壁６２の方向へ平行にずれた２本の補助折罫線６４とが交互に入れられると共に、これらに挟まれた半切の切目６５が入れられ、段ボールの表面から、裏側の平行な２本の補助折罫線６４に沿って平行な２本の補助折罫線６６が連続的に入れられている。そして、側壁６１と底壁６２の境界部分の折り曲げに伴い、２本の補助折罫線６４の間の部分が傾斜し、１本の軸折罫線６３の周辺部分が引き締められるようになっている。
【０００５】
特許文献３には、図１０に示すブランクから成る段ボール箱が記載されている。このブランクでは、一対の側壁７１の間に底壁７２が挟まれるように連設され、一方の側壁７１に天壁７３が、他方の側壁７１に継代片７４が連設されている。そして、これらの境界部分に、折り曲げの軸線となる１本の軸折罫線７５が入れられると共に、これに平行な２本の補助折罫線７６が軸折罫線７５の両側に断続的に入れられている。軸折罫線７５と２本の補助折罫線７６とが並ぶ３本線部分は、組立状態における下側と上側とで、長さ方向に交互に存在するように配置されている。
【０００６】
このブランクの組み立てに際し、物品を包み込むように一対の側壁７１、底壁７２及び天壁７３を折り曲げ、継代片７４を折り曲げて天壁７３に貼り付けると、１本の軸折罫線７５の部分は直角に折れ曲がり、軸折罫線７５と２本の補助折罫線７６とが並ぶ３本線部分では、軸折罫線７５と補助折罫線７６の間の部分が傾斜して順次折れ曲がる。
【０００７】
上記特許文献１〜３に記載されたような罫線構造を備えた段ボール箱では、大きな積上荷重が作用しても、補助折罫線５４，６４，６６，７６の折曲角が変化して、高さ方向の変形が吸収されるので、側壁５１，６１，７１が膨らむ胴膨れ現象が抑制される。
【先行技術文献】
【特許文献】
【０００８】
【特許文献１】特許第４１２６２０１号公報
【特許文献２】特許第５４６０５２１号公報
【特許文献３】特許第５６１２９５１号公報
【発明の概要】
【発明が解決しようとする課題】
【０００９】
しかしながら、図８に示すような罫線構造を備えた段ボール箱では、１本の軸折罫線５３と２本の補助折罫線５４の間に、組立時に開く切目５５が存在するので、密閉性や強度の面において不利となる問題があった。
【００１０】
また、図９に示すような罫線構造を備えた段ボール箱では、裏面の補助折罫線６４と表面の補助折罫線６６とが組立時にほぼ重なるので、別の罫線として機能せず、段ボール自体の強度が弱い場合や、積上荷重が相当大きい場合には、十分に荷重を吸収しきれないことがあるほか、側壁６１に開封用としてライナーカットやジッパーの切目線が入れられていたり、開封窓が形成されていたりすると、積上荷重が作用したとき、その部分で座屈が生じる恐れもあった。
【００１１】
また、図１０に示すような罫線構造を備えた段ボール箱では、２本の補助折罫線７６の間を軸折罫線７５が貫いていることから、組立時に予定どおり２本の補助折罫線７６の間の部分が傾斜しない可能性があり、傾斜しても傾斜部分の幅が狭いため、変位をあまり吸収できず、傾斜部分による直角部分の引き締め効果も得られないという問題があった。
【００１２】
そこで、この発明は、罫線構造による段ボール箱の胴膨れ抑制効果をさらに向上させると共に、側壁の意図しない座屈を防止し、密閉性も確保することを課題とする。
【課題を解決するための手段】
【００１３】
上記課題を解決するため、この発明は、側壁と底壁とが連設され、その境界部分を折り曲げて組み立てる段ボール箱において、側壁と底壁の境界部分には、折り曲げの軸線となる１本の軸折罫線と、これに対して側壁及び底壁の方向へずれた２本の補助折罫線とを交互に入れると共に、軸折罫線と平行な座屈誘導罫線を、軸折罫線に対応して断続的に、側壁の補助折罫線よりも上方に入れたことを特徴とする胴膨れ抑制罫線構造を備えたものを提供することとしたのである。
【００１４】
また、前記座屈誘導罫線は、軸折罫線及び補助折罫線よりも折曲抵抗が弱いものとし、座屈の誘導効果を高めるようにしたのである。
【００１５】
さらに、前記軸折罫線に臨む底壁側の部分に、段ボールを厚さ方向に押し潰して折曲抵抗を弱めた段潰部を形成し、軸折罫線を挟んだ折曲抵抗のバランスをとって、組み立てに際し、側壁と底壁とが所定の位置で折れ曲がるようにしたのである。
【発明の効果】
【００１６】
この発明に係る胴膨れ抑制罫線構造を備えた段ボール箱では、組み立てに際し、側壁と底壁の境界部分を折り曲げると、１本の軸折罫線に沿って側壁と底壁とが折れ曲がると共に、２本の補助折罫線の間の部分が傾斜し、軸折罫線の周辺部分が引き締められて、側壁に垂直方向の張力が作用する。
【００１７】
そして、積上荷重が作用したとき、２本の補助折罫線の折曲角が変化して高さ方向の湾曲するような変形が防止され、これに加えて、座屈誘導罫線に沿って側壁が折れ曲がることにより、高さ方向の湾曲するような変形が防止される。
【００１８】
従って、段ボール自体の強度が弱い場合や、積上荷重が相当大きい場合でも、十分な胴膨れ抑制効果が得られ、側壁の意図しない座屈も防止される。また、側壁と底壁の境界部分に、組立時に開く切目を入れていないので、包装の密閉性も確保される。
【図面の簡単な説明】
【００１９】
【図１】この発明の実施形態に係る胴膨れ抑制罫線構造を備えた段ボール箱のブランクを示す図（裏面側）
【図２】同上の胴膨れ抑制罫線構造を示す図１のＡ部拡大図
【図３】（ａ）図２のIII(a)−III(a)断面図、（ｂ）図２のIII(b)−III(b)断面図
【図４】同上の組立状態を示す上方からの斜視図
【図５】同上の組立状態を示す下方からの斜視図
【図６】（ａ）図５のVI(a)−VI(a)断面図、（ｂ）図５のVI(b)−VI(b)断面図
【図７】同上の積上荷重による図５のVI(a)−VI(a)断面の変形状態を示す図
【図８】特許文献１に記載の胴膨れ抑制罫線構造を備えた段ボール箱の上下反転状態を示す斜視図
【図９】特許文献２に記載の胴膨れ抑制罫線構造を備えた段ボール箱の上下反転状態を示す斜視図
【図１０】特許文献３に記載の胴膨れ抑制罫線構造を備えた段ボール箱のブランクを示す図
【発明を実施するための形態】
【００２０】
以下、この発明の実施形態を添付図面に基づいて説明する。
【００２１】
この段ボール箱は、物品を包み込みながら組み立てられるラップラウンド式のものであり、図１に示すようなブランクから形成される。
【００２２】
このブランクでは、一対の側壁１の間に底壁２が挟まれるように連設され、一方の側壁１に天壁３及び継代片４が順次連設されている。段ボールの中芯の段頂が延びる方向である段目方向は、積上荷重の作用方向を考慮して、これらの連設方向へ向けられている。また、側壁１の両端には内フラップ５がそれぞれ連設され、底壁２及び天壁３の両端には外フラップ６がそれぞれ連設されている。
【００２３】
一対の側壁１と底壁２の境界部分には、図２及び図３に示すように、折り曲げの軸線となる１本の軸折罫線７と、これに対して側壁１及び底壁２の方向へずれた２本の補助折罫線８とが交互に入れられると共に、軸折罫線７と平行な座屈誘導罫線９が、軸折罫線７に対応して断続的に、側壁１の補助折罫線８よりも上方となる位置に入れられている。
【００２４】
軸折罫線７、補助折罫線８及び座屈誘導罫線９は、段ボールを厚さ方向に貫通する切目と繋部とが交互に断続し、繋部に段ボールを裏面から押圧して押罫を入れたリード罫とされ、切目と繋部のピッチを調整して、折曲抵抗が適度に設定されている。
【００２５】
ここで、座屈誘導罫線９は、軸折罫線７及び補助折罫線８よりも繋部の総和が短く、折曲抵抗が弱いものとなっている。
【００２６】
底壁２の軸折罫線７に臨む部分には、段ボールを厚さ方向に押し潰して折曲抵抗を弱めた段潰部１０が形成されている。
【００２７】
側壁１には、開封用としてミシン目状の切目線１１が入れられ、これに続いて、内フラップ５にも、鉤状の切目が断続するジッパー型の切目線１１が入れられている。側壁１における切目線１１の中間部には、押込に伴い開口する手入穴１２が切目線及びヒンジとなる折目線を入れることにより形成されている。
【００２８】
また、側壁１には、開封時に撓んで力が伝わりやすくなるように、手入穴１２の近傍から上方となる方向へＶ字状をなすように延びる可撓罫線１３と、切目線１１の内フラップ５寄りの端部近傍から可撓罫線１３の終端部近傍へ延びる斜め方向の可撓罫線１４とが入れられている。可撓罫線１３は、段ボールを裏面から押圧した通常の罫線とされ、可撓罫線１４は、段ボールを表面から押圧した逆罫線とされている。
【００２９】
このようなブランクを、図４及び図５に示す形態に組み立てて物品を包装するには、物品を包み込むように、一対の側壁１と底壁２及び天壁３の境界部分を折り曲げ、天壁３から継代片４を折り曲げて他方の側壁１に貼り付ける。そして、内フラップ５及び外フラップ６を順次折り曲げて貼り合わせ、端面を閉止する。
【００３０】
上記のような段ボール箱では、組み立てに際し、側壁１と底壁２の境界部分を折り曲げたとき、図６（ａ）に示すように、１本の軸折罫線７に沿って側壁１と底壁２とが直角に折れ曲がり、図６（ｂ）に示すように、２本の補助折罫線８の間の部分が傾斜し、軸折罫線７の周辺部分が引き締められて、側壁１に垂直方向の張力が作用する。
【００３１】
また、軸折罫線７に臨む底壁２側の部分に、段ボールを厚さ方向に押し潰して折曲抵抗を弱めた段潰部１０が形成されているので、軸折罫線７を挟んだ座屈誘導罫線９と段潰部１０の折曲抵抗のバランスがとられ、組み立てに際し、側壁１と底壁２とが一方に引っ張られることなく、所定の位置で折れ曲がる。
【００３２】
そして、積上荷重が作用したとき、図７に示すように、２本の補助折罫線８の折曲角が変化して高さ方向の湾曲するような変形が防止され、これに加えて、座屈誘導罫線９に沿って側壁１が折れ曲がることにより、高さ方向の湾曲するような変形が防止される。
【００３３】
このとき、座屈誘導罫線９は、軸折罫線７及び補助折罫線８よりも折曲抵抗が弱いものとされているので、座屈の誘導効果が高められる。また、座屈誘導罫線９が途切れた部分では、側壁１が座屈に抗し、耐圧強度が確保される。
【００３４】
従って、段ボール自体の強度が弱い場合や、積上荷重が相当大きい場合でも、十分な胴膨れ抑制効果が得られ、側壁１が中間部の切目線１１に沿って座屈するような現象も防止される。また、側壁１と底壁２の境界部分に、組立時に開く切目を入れていないので、包装の密閉性も確保される。
【００３５】
なお、上記実施形態では、軸折罫線７、補助折罫線８及び座屈誘導罫線９がリード罫であるものを例示したが、軸折罫線７、補助折罫線８及び座屈誘導罫線９は、これに限定されるものではなく、材料の段ボールの厚さや強度を考慮して、押罫だけから構成されるものとしてもよい。
【００３６】
また、側壁１と底壁２の境界部分の複数個の断続する軸折罫線７につき、全ての軸折罫線７に対応して座屈誘導罫線９を入れたものを例示したが、座屈誘導罫線９は、全ての軸折罫線７に対応して入れる必要はなく、座屈誘導罫線９の付与を、両端に位置する軸折罫線７に対して省略したり、間欠的に軸折罫線７に対応して入れるようにしてもよい。
【００３７】
また、段ボール箱の形式として、ラップラウンド式のものを例示したが、周壁をなす各一対の側壁及び端壁からそれぞれ内フラップ及び外フラップを延出し、内フラップと外フラップとを重ね合わせて底壁及び天壁を形成する溝切型段ボール箱や、底壁の周囲各辺に連設した側壁を起立させて形成するトレイ状の段ボール箱においても、同様の罫線構造を採用することにより、胴膨れ現象を抑制することができる。
【符号の説明】
【００３８】
１  側壁
２  底壁
３  天壁
４  継代片
５  内フラップ
６  外フラップ
７  軸折罫線
８  補助折罫線
９  座屈誘導罫線
１０  段潰部
１１  切目線
１２  手入穴
１３，１４  可撓罫線
【図１】
0006537375.tif 000002
【図２】
0006537375.tif 000003
【図３】
0006537375.tif 000004
【図４】
0006537375.tif 000005
【図５】
0006537375.tif 000006
【図６】
0006537375.tif 000007
【図７】
0006537375.tif 000008
【図８】
0006537375.tif 000009
【図９】
0006537375.tif 000010
【図１０】
0006537375.tif 000011